(57)【要約】【課題】循環電流が発生しない奇数ターンの特性を有する固定子巻線を実現する。【解決手段】固定子２０は、周方向に繰り返し２個ずつ配置されたＵ相スロット、Ｖ相スロット及びＷ相スロットよりなる複数のスロット３１を有する固定子コア３０と、スロット３１に収容されて固定子コア３０に巻装された三相の相巻線よりなる固定子巻線４０とを備える。各相スロットには、各相巻線が径方向１列に４本ずつ収容され、各相巻線は、並列接続された２本の並列巻線４１Ｕにより構成されている。各並列巻線は、第１〜第４部分巻線Ａ〜Ｄにより構成されて、スロット３１内の第１層と第２層に交互に収容される第一の部分巻線群（Ａ，Ｄ）と、スロット３１内の第３層と第４層に交互に収容される第二の部分巻線群（Ｂ，Ｃ）とが直列接続されてなる。第一の部分巻線群は、直列接続のみで接続され、第二の部分巻線群は、直列接続と並列接続の両方で接続されている。【選択図】図５
2016012981.tif 000002
【特許請求の範囲】
【請求項１】
円環状に形成されて周方向に順番に繰り返し２個ずつ配置されたＵ相スロット（Ｕ１，Ｕ２）、Ｖ相スロット（Ｖ１，Ｖ２）及びＷ相スロット（Ｗ１，Ｗ２）よりなる複数のスロット（３１）を有する固定子コア（３０）と、前記スロットに収容されて前記固定子コアに巻装されたそれぞれ電気的位相の異なる三相（Ｕ相，Ｖ相，Ｗ相）の相巻線よりなる固定子巻線（４０）と、を備えた回転電機の固定子（２０）において、
各前記相スロットには、各前記相巻線が径方向１列に２×Ｎ（Ｎは２以上の自然数）本ずつ収容され、
各前記相巻線は、それぞれ並列接続された２本の並列巻線（４１Ｕ，４１Ｖ，４１Ｗ）により構成され、
各前記並列巻線は、複数の部分巻線（Ａ〜Ｈ）により構成されて、前記スロット内の第１層と第２層に交互に収容される第一の部分巻線群と、前記スロット内の第３層と第４層に交互に収容される第二の部分巻線群と、を含むＮ種類の部分巻線群が直列接続されてなり、
Ｎ種類のうちの（Ｎ−１）種類の前記部分巻線群を構成する各前記部分巻線は、直列接続のみで接続され、
残りの１種類の前記部分巻線群を構成する各前記部分巻線は、直列接続と並列接続の両方で接続されていることを特徴とする回転電機の固定子。
【請求項２】
直列接続と並列接続の両方で接続される前記部分巻線群を構成する各前記部分巻線の断面積は、直列接続のみで接続される前記部分巻線群を構成する各前記部分巻線の断面積の概ね半分であることを特徴とする請求項１に記載の回転電機の固定子。
【請求項３】
各前記並列巻線は、前記固定子コアに順番に繰り返し２個ずつ配置された各前記相スロットの両方に均等に配置されていることを特徴とする請求項１又は２に記載の回転電機の固定子。
【請求項４】
直列接続と並列接続の両方で接続される前記部分巻線群を構成する各前記部分巻線は、前記固定子コアに順番に繰り返し２個ずつ配置された各前記相スロットの両方に均等に配置されていることを特徴とする請求項３に記載の回転電機の固定子。
【発明の詳細な説明】
【技術分野】
【０００１】
本発明は、車両等に搭載されて電動機や発電機として使用される回転電機の固定子に関する。
【背景技術】
【０００２】
従来、車両に搭載されて使用される回転電機として、回転可能に設けられた回転子と、該回転子と径方向に対向して配置され周方向に配列された複数のスロットを有する固定子コア、及び該固定子コアのスロットに巻装された複数の相巻線よりなる固定子巻線を有する固定子と、を備えたものが一般に知られている。
【０００３】
この回転電機では、電機子として働く固定子の起磁力は、各相巻線を流れる電流と各相巻線のターン（以下、「Ｔ」ともいう。）数とによって決定されるため、回転電機のトルクと回転数との関係においてその特性を表すことができる。なお、ターン数Ｔは、各相巻線の入り口の電流をＡとし、一極当たりに入っている電流をＡ’としたときに、Ｔ＝Ａ’／Ａ  から求められる。例えば、４Ｔ（ターン数が４）の場合には、低回転数域で一定の高トルクとなり、高回転数になるほどトルクが次第に低下する。また、２Ｔ（ターン数が２）の場合には、低回転数域では４Ｔの約半分のトルクとなるが、トルクが一定の低回転数域の範囲が４Ｔの約２倍となり、高回転数域においてのトルクの低下は極めて少なく、４Ｔよりも高トルクを維持する。
【０００４】
ところで、固定子巻線として、各スロットに軸方向一方側から挿入されて各スロットから軸方向他方側に延出した複数の導体セグメントの接続すべき所定の端部同士を接続することにより形成されたセグメント型のものが知られている。このセグメント型の固定子巻線は、その構造上から、各スロットに収容される導体セグメント（スロット収容部）の本数が偶数本になることから、巻線のターン数も偶数ターンに限られていた。そのため、例えば上記の４Ｔと２Ｔの中間となる、ほどほどの高トルクの低回転数域とほどほどの高トルクの高回転数域とを有する３Ｔの特性を有する固定子巻線を得ることができない。
【０００５】
そこで、特許文献１には、奇数ターンを可能とする固定子巻線として、Ｘ相巻線、Ｙ相巻線、Ｚ相巻線からなる第１の巻線群と、Ｕ相巻線、Ｖ相巻線、Ｗ相巻線からなる第２の巻線群とを有し、第１の巻線群と第２の巻線群がπ／６の位相差をもって固定子コアに巻装されているものが開示されている。この固定子巻線は、第１の巻線群は各相巻線が互いに接続されてΔ結線を形成し、第２の巻線群はΔ結線の各相巻線間に対して接続されてＹ結線を形成することで、ΔＹ複合結線により３Ｔの特性を有する固定子巻線を形成している。
【０００６】
また、特許文献２で開示されている連続した導体セグメントを用いた固定子巻線において、Ｙ結線を並列接続することでも３Ｔの特性を有する固定子巻線を形成することが可能である。
【先行技術文献】
【特許文献】
【０００７】
【特許文献１】特開２０１１−４５１９３号公報
【特許文献２】特開２００９−１１２１８６号公報
【発明の概要】
【発明が解決しようとする課題】
【０００８】
ところが、上記特許文献１に開示された固定子巻線は、第１の巻線群で形成されるΔ結線内で循環電流が流れるため、特に高回転域において電気的損失が増加するという課題がある。また、上記特許文献２で開示されたＹ結線を並列接続した固定子巻線では、並列接続した部分で循環電流が発生し電気的損失が増加する課題がある。
【０００９】
本発明は、上記事情に鑑みてなされたものであり、循環電流が発生することのない奇数ターンの特性を有する固定子巻線を備えた回転電機の固定子を提供することを解決すべき課題とするものである。
【課題を解決するための手段】
【００１０】
上記課題を解決するためになされた本発明は、
円環状に形成されて周方向に順番に繰り返し２個ずつ配置されたＵ相スロット（Ｕ１，Ｕ２）、Ｖ相スロット（Ｖ１，Ｖ２）及びＷ相スロット（Ｗ１，Ｗ２）よりなる複数のスロット（３１）を有する固定子コア（３０）と、前記スロットに収容されて前記固定子コアに巻装されたそれぞれ電気的位相の異なる三相（Ｕ相，Ｖ相，Ｗ相）の相巻線よりなる固定子巻線（４０）と、を備えた回転電機の固定子（２０）において、
各前記相スロットには、各前記相巻線が径方向１列に２×Ｎ（Ｎは２以上の自然数）本ずつ収容され、
各前記相巻線は、それぞれ並列接続された２本の並列巻線（４１Ｕ，４１Ｖ，４１Ｗ）により構成され、
各前記並列巻線は、複数の部分巻線（Ａ〜Ｈ）により構成されて、前記スロット内の第１層と第２層に交互に収容される第一の部分巻線群と、前記スロット内の第３層と第４層に交互に収容される第二の部分巻線群と、を含むＮ種類の部分巻線群が直列接続されてなり、
Ｎ種類のうちの（Ｎ−１）種類の前記部分巻線群を構成する各前記部分巻線は、直列接続のみで接続され、
残りの１種類の前記部分巻線群を構成する各前記部分巻線は、直列接続と並列接続の両方で接続されていることを特徴とする。
【００１１】
本発明によれば、各相スロットには、各相巻線が径方向１列に２×Ｎ（Ｎは２以上の自然数）本ずつ収容され、各相巻線は、それぞれ並列接続された２本の並列巻線により構成され、各並列巻線は、複数の部分巻線により構成されて、スロット内の第１層と第２層を交互に通る第１部分巻線群と、スロット内の第３層と第４層を交互に通る第２部分巻線群とを含むＮ種類の部分巻線群が直列接続されてなり、Ｎ種類のうちの（Ｎ−１）種類の部分巻線群は、直列接続のみで接続され、残りの１種類の部分巻線群は、直列接続と並列接続の両方で接続されている。これにより、循環電流が発生することのない奇数ターンの特性を有する固定子巻線を実現することができる。本発明における固定子巻線は、循環電流が流れるΔ結線がなく、Ｙ結線のみで結線されるので、循環電流が発生しない。
【００１２】
なお、この欄及び特許請求の範囲で記載された各部材や部位の後の括弧内の符号は、後述する実施形態に記載の具体的な部材や部位との対応関係を示すものであり、特許請求の範囲に記載された各請求項の構成に何ら影響を及ぼすものではない。
【図面の簡単な説明】
【００１３】
【図１】実施形態１に係る固定子を搭載した回転電機の軸方向断面図である。
【図２】実施形態１に係る固定子の全体斜視図である。
【図３】図２のＱ部の拡大図である。
【図４】実施形態１に係る固定子巻線の星型結線図である。
【図５】図４に示す星型結線図におけるＵ相巻線の部分結線図である。
【図６】実施形態１において固定子コアの各スロットに巻装されたＵ相巻線の一方の並列巻線のスロット収容位置を示す巻線配置図である。
【図７】図６に示すＵ相巻線の一方の並列巻線のうち第１部分巻線Ａのみを示す巻線配置図である。
【図８】図６に示すＵ相巻線の一方の並列巻線のうち第２部分巻線Ｂのみを示す巻線配置図である。
【図９】図６に示すＵ相巻線の一方の並列巻線のうち第３部分巻線Ｃのみを示す巻線配置図である。
【図１０】図６に示すＵ相巻線の一方の並列巻線のうち第４部分巻線Ｄのみを示す巻線配置図である。
【図１１】実施形態１に係る固定子コアの２個のＵ相スロット部分を示す部分断面図である。
【図１２】実施形態１に係る固定子巻線を構成するＵ相巻線において循環電流が発生しない状態を説明する説明図である。
【図１３】変形例１に係る固定子コアの２個のＵ相スロット部分を示す部分断面図である。
【図１４】変形例１におけるＵ相巻線の一方の並列巻線の部分結線図である。
【図１５】実施形態２に係る固定子巻線の星型結線図である。
【図１６】図１５に示す星型結線図におけるＵ相巻線の部分結線図である。
【図１７】実施形態２において固定子コアの各スロットに巻装されたＵ相巻線の一方の並列巻線のスロット収容位置を示す巻線配置図である。
【図１８】図１７に示すＵ相巻線の一方の並列巻線のうち第１部分巻線Ａのみを示す巻線配置図である。
【図１９】図１７に示すＵ相巻線の一方の並列巻線のうち第２部分巻線Ｂ１，Ｂ２のみを示す巻線配置図である。
【図２０】図１７に示すＵ相巻線の一方の並列巻線のうち第３部分巻線Ｃ１，Ｃ２のみを示す巻線配置図である。
【図２１】図１７に示すＵ相巻線の一方の並列巻線のうち第４部分巻線Ｄのみを示す巻線配置図である。
【図２２】実施形態２に係る固定子コアの２個のＵ相スロット部分を示す部分断面図である。
【図２３】実施形態３に係る固定子巻線の星型結線図である。
【図２４】図２３に示す星型結線図におけるＵ相巻線の部分結線図である。
【図２５】実施形態３において固定子コアの各スロットに巻装されたＵ相巻線の一方の並列巻線のスロット収容位置を示す巻線配置図である。
【図２６】実施形態３に係る固定子コアの２個のＵ相スロット部分を示す部分断面図である。
【図２７】実施形態４に係る固定子巻線の星型結線図である。
【図２８】図２６に示す星型結線図におけるＵ相巻線の部分結線図である。
【図２９】実施形態５に係る固定子巻線の星型結線図である。
【図３０】図２９に示す星型結線図におけるＵ相巻線の部分結線図である。
【図３１】実施形態５において固定子コアの各スロットに巻装されたＵ相巻線の一方の並列巻線のスロット収容位置を示す巻線配置図である。
【図３２】実施形態５に係る固定子コアの２個のＵ相スロット部分を示す部分断面図である。
【図３３】実施形態６に係る固定子巻線の星型結線図である。
【図３４】図３３に示す星型結線図におけるＵ相巻線の部分結線図である。
【発明を実施するための形態】
【００１４】
以下、本発明に係る回転電機の固定子の実施形態について図面を参照して具体的に説明する。
【００１５】
〔実施形態１〕
実施形態１に係る固定子２０が搭載された回転電機１は、車両用電動機として使用されるものである。この回転電機１は、図１に示すように、有底筒状の一対のハウジング部材１０ａ，１０ｂが開口部同士で接合されてなるハウジング１０と、ハウジング１０に軸受け１１，１２を介して回転自在に支承される回転軸１３に固定された回転子１４と、ハウジング１０内の回転子１４を包囲する位置でハウジング１０に固定された固定子２０と、を備えている。
【００１６】
回転子１４は、固定子２０の内周側と径方向に対向する外周側に、周方向に所定距離を隔てて極性が交互に異なるように配置された複数の磁極を有する。これらの磁極は、回転子１４の所定位置に埋設された複数の永久磁石により形成されている。回転子１４の磁極の数は、回転電機により異なるため限定されるものではない。実施形態１では、８極（Ｎ極：４、Ｓ極：４）の回転子が用いられている。
【００１７】
次に、図２〜図１２を参照して固定子２０について説明する。固定子２０は、図２及び図３に示すように、周方向に配列された複数のスロット３１を有する円環状の固定子コア３０と、固定子コア３０のスロット３１に巻装された三相（Ｕ相、Ｖ相、Ｗ相）の固定子巻線４０と、を備えている。
【００１８】
固定子コア３０は、円環状の複数の電磁鋼板を固定子コア３０の軸方向に積層して形成された一体型のものである。この固定子コア３０は、円環状のバックコア３３と、バックコア３３から径方向内方へ突出し周方向に所定距離を隔てて配列された複数のティース３４とからなり、隣り合うティース３４の間にスロット３１が形成されている。固定子コア３０に形成されたスロット３１の数は、回転子の磁極数（８磁極）に対し、固定子巻線４０の一相あたり２個の割合で形成されている。実施形態１では、８×３×２＝４８より、スロット数は４８個とされている。即ち、４８個のスロット３１は、周方向に順番に繰り返し２個ずつ配置されたＵ相スロット（Ｕ１，Ｕ２）、Ｖ相スロット（Ｖ１，Ｖ２）及びＷ相スロット（Ｗ１，Ｗ２）よりなり（図３参照）、スロット倍数が２とされている。
【００１９】
固定子巻線４０は、Ｕ字形状をなす複数の導体セグメントを接続して、固定子コア３０の各スロット３１に収容されて巻装されたセグメントタイプのものである。Ｕ字形状の導体セグメントは、互いに平行な一対の直線部と、一対の直線部の一端同士を連結するターン部とからなり、断面が長方形の導体と、導体の外周面を被覆する絶縁被膜とからなる平角線で形成されている。
【００２０】
この固定子巻線４０は、Ｕ字形状をなす複数の導体セグメントを固定子コア３０の軸方向一端側からスロット３１に挿入して、軸方向他端側に延出した一対の開放端部を互いに周方向反対側へ捻った後、所定の捻り部の先端部同士が溶接により接合されて所定のパターンで電気的に接続されている。実施形態１の場合、各スロット３１には、各相巻線が径方向１列に２×Ｎ本（Ｎ＝２で４本）ずつ収容されている（図１１参照）。
【００２１】
固定子巻線４０の軸方向一方側（図２の上方側）には、固定子コア３０の軸方向一方側の端面から突出した多数のターン部により第１コイルエンド部４０ａが形成されている。また、固定子巻線４０の軸方向他方側（図２の下方側）には、固定子コア３０の軸方向他方側の端面から突出した多数の捻り部及び接合部により第２コイルエンド部４０ｂが形成されている。
【００２２】
この固定子巻線４０は、４Ｔと２Ｔの中間の３Ｔの特性を有する固定子巻線を実現させたものであって、図４に示すように、それぞれ２本の並列巻線４１Ｕ，４１Ｖ，４１Ｗが並列接続された各相巻線（Ｕ相，Ｖ相，Ｗ相）の巻線端が星型結線（Ｙ結線）で結線されている。なお、固定子巻線４０を構成する三相の相巻線は、電気的位相が異なるだけで巻線仕様が同じであるため、以下、それらの代表としてＵ相巻線の巻線仕様を説明する。
【００２３】
Ｕ相巻線の各並列巻線４１Ｕ１，４１Ｕ２は、図５に示すように、４個の第１〜第４部分巻線Ａ１，Ａ２〜Ｄ１，Ｄ２により構成されている。各並列巻線４１Ｕ１，４１Ｕ２は、第２部分巻線Ｂ１，Ｂ２と第３部分巻線Ｃ１，Ｃ２が並列接続されて部分並列巻線を構成し、その部分並列巻線の上流側に第１部分巻線Ａ１，Ａ２が直列接続され、その部分並列巻線の下流側に第４部分巻線Ｄ１，Ｄ２が直列接続されている。
【００２４】
図６は、固定子コア３０の各Ｕ相スロットＵ１，Ｕ２に巻装された一方の並列巻線４１Ｕ１のスロット収容位置を示す巻線配置図である。また、図７〜図１０は、図６に記載された並列巻線４１Ｕ１の巻回状態を容易に理解できるようにするために、並列巻線４１Ｕ１を構成する第１〜第４部分巻線Ａ１〜Ｄ１のそれぞれの巻回状態を単独で記載した巻線配置図である。
【００２５】
なお、図６〜図１０において、第１〜第４部分巻線Ａ１〜Ｄ１の第１コイルエンド部４０ａ側の結線構造が実線で記載され、第１〜第４部分巻線Ａ１〜Ｄ１の第２コイルエンド部４０ｂ側の結線構造が破線で記載されている。また、各Ｕ相スロットＵ１，Ｕ２に収容される４本のＵ相巻線は、固定子コア３０の内周側から順番に、第１層、第２層、第３層、第４層とする。また、各Ｕ相スロットＵ１，Ｕ２に収容される第１〜第４部分巻線Ａ１〜Ｄ１のスロット収容部は、始端側から終端側に向かって順番に第１スロット収容部、第２スロット収容部、・・・・・、とする。
【００２６】
第１部分巻線Ａ１は、図７に示すように、時計の１２時の位置にあるＵ相スロットＵ１の第１層に始端側の第１スロット収容部が収容され、第２スロット収容部が反時計回り方向に６スロット離れたＵ相スロットＵ１の第２層に収容されている。その後、反時計回り方向に６スロットずつ離れたＵ相スロットＵ１の第１層と第２層に交互に収容されて、最終端の第８スロット収容部が、時計の１時３０分の位置にあるＵ相スロットＵ１の第２層に収容されている。
【００２７】
第１部分巻線Ａ１と直列接続された第２部分巻線Ｂ１は、図８に示すように、時計の１時３０分の位置にあるＵ相スロットＵ１の第２層から、反時計回り方向に５スロット離れたＵ相スロットＵ２の第３層に第１スロット収容部が収容されている。その後、反時計回り方向に６スロットずつ離れたＵ相スロットＵ２の第４層と第３層に交互に収容されて、第４スロット収容部が、時計の７時３０分の位置にあるＵ相スロットＵ２の第４層に収容されている。そして、次の第５スロット収容部が、時計回り方向に５スロット離れたＵ相スロットＵ１の第４層に収容されて、第４層から第４層に渡る外−外渡りとなっている。その後、時計回り方向に６スロットずつ離れたＵ相スロットＵ１の第３層と第４層に交互に収容されて、最終端の第９スロット収容部が、時計の３時の位置にあるＵ相スロットＵ２の第２層に収容されている。
【００２８】
また、第１部分巻線Ａ１と直列接続されて第２部分巻線Ｂ１と並列接続された第３部分巻線Ｃ１は、図９に示すように、時計の１時３０分の位置にあるＵ相スロットＵ１の第２層から、反時計回り方向に６スロット離れたＵ相スロットＵ１の第３層に第１スロット収容部が収容されている。その後、反時計回り方向に６スロットずつ離れたＵ相スロットＵ１の第４層と第３層に交互に収容されて、第４スロット収容部が、時計の７時３０分の位置にあるＵ相スロットＵ１の第４層に収容されている。そして、次の第５スロット収容部が、時計回り方向に７スロット離れたＵ相スロットＵ２の第４層に収容されて、第４層から第４層に渡る外−外渡りとなっている。その後、時計回り方向に６スロットずつ離れたＵ相スロットＵ２の第３層と第４層に交互に収容されて、最終端の第９スロット収容部が、時計の３時の位置にあるＵ相スロットＵ２の第２層に収容されている。
【００２９】
第２及び第３部分巻線Ｂ１，Ｃ１と直列接続された第４部分巻線Ｄ１は、図１０に示すように、時計の３時の位置にあるＵ相スロットＵ２の第２層から、時計回り方向に６スロット離れたＵ相スロットＵ２の第１層に第１スロット収容部が収容されている。その後、時計回り方向に６スロットずつ離れたＵ相スロットＵ２の第２層と第１層に交互に収容されて、最終端の第７スロット収容部が、時計の１時３０分の位置にあるＵ相スロットＵ２の第１層に収容されている。
【００３０】
Ｕ相巻線の一方の並列巻線４１Ｕ１は、上記のようにして固定子コア３０の各Ｕ相スロットＵ１，Ｕ２に巻装されている。即ち、実施形態１の並列巻線４１Ｕ１は、前半と後半が、並列接続された第２及び第３部分巻線Ｂ１，Ｃ１の長さ方向中央部で時計回り反対方向に外−外渡りで折り返されるタイプのものである。
【００３１】
そして、他方の並列巻線４１Ｕ２も、一方の並列巻線４１Ｕ１と同様にして固定子コア３０の各相スロットＵ１，Ｕ２に巻装される。この場合、他方の並列巻線４１Ｕ２の第１部分巻線Ａ２の巻回開始位置は、例えば、一方の並列巻線４１Ｕ１の第１部分巻線Ａ１の巻回開始位置（図６において時計の１２時の位置）と約１８０°位相がずれた位置（図６において時計の６時の位置）にあるＵ相スロットＵ２にされている。
【００３２】
また、他方の並列巻線４１Ｕ２が収容されるＵ相スロットは、一方の並列巻線４１Ｕ１が収容されるＵ相スロットと逆にされる。例えば、一方の並列巻線４１Ｕ１の第１部分巻線Ａ１がＵ相スロットＵ１に収容されていれば、他方の並列巻線４１Ｕ２の第１部分巻線Ａ２はＵ相スロットＵ２に収容される。このようにして各Ｕ相スロットＵ１，Ｕ２には、図１１に示すように、Ｕ相巻線が径方向１列に２×Ｎ本（Ｎ＝２で４本）ずつ収容されている。
【００３３】
図１１は、固定子コア３０のＵ相スロットＵ１，Ｕ２内における第１〜第４部分巻線Ａ１，Ａ２〜Ｄ１，Ｄ２の配置位置の一例を示すものである。図１１に例示された２個のＵ相スロットＵ１，Ｕ２は、図６において時計の１０時３０分の位置にあるものである。なお、図１１において、Ｕ相スロットＵ１の第１層には、他方の並列巻線４１Ｕ２の第４部分巻線Ｄ２が収容され、Ｕ相スロットＵ２の第２層には、他方の並列巻線４１Ｕ２の第１部分巻線Ａ２が収容されている。
【００３４】
上記のように巻装された並列巻線４１Ｕ１，４１Ｕ２は、各相スロットＵ１，Ｕ２内の第１層と第２層に交互に収容される第一の部分巻線群（Ａ１，Ａ２，Ｄ１，Ｄ２）と、各相スロットＵ１，Ｕ２内の第３層と第４層に交互に収容される第二の部分巻線群（Ｂ１，Ｂ２，Ｃ１，Ｃ２）との２種類の部分巻線群に分類される。即ち、スロット内での収容位置が異なるＮ種類の部分巻線群に分類されており、実施形態１の場合には、Ｎ＝２で２種類の部分巻線群に分類される。
【００３５】
そして、Ｎ種類（Ｎ＝２で２種類）のうちの（Ｎ−１）種類（Ｎ＝２で１種類）である第一の部分巻線群を構成する第１及び第４部分巻線Ａ１，Ａ２，Ｄ１，Ｄ２は、直列接続のみで接続されている。これらの直列接続のみで接続される第１及び第４部分巻線Ａ１，Ａ２，Ｄ１，Ｄ２は、固定子コア３０に順番に繰り返し２個ずつ配置されたＵ相スロットＵ１，Ｕ２の両方に均等に配置されている。
【００３６】
また、残りの１種類の第二の部分巻線群を構成する第２及び第３部分巻線Ｂ１，Ｂ２，Ｃ１，Ｃ２は、直列接続と並列接続の両方で接続されている。これらの直列接続と並列接続の両方で接続される第２及び第３部分巻線Ｂ１，Ｂ２，Ｃ１，Ｃ２も、固定子コア３０に順番に繰り返し２個ずつ配置されたＵ相スロットＵ１，Ｕ２の両方に均等に配置されている。したがって、Ｕ相巻線の各並列巻線４１Ｕ１，４１Ｕ２は、固定子コア３０に順番に繰り返し２個ずつ配置されたＵ相スロットＵ１，Ｕ２の両方に均等に配置されている。
【００３７】
以上のように結線された実施形態１に係る固定子巻線４０は、４Ｔと２Ｔの中間の３Ｔの特性を有する。即ち、ターン数Ｔは、各相巻線の入り口の電流をＡとし、一極当たりに入っている電流をＡ’としたときに、Ｔ＝Ａ’／Ａ  から求められる。実施形態１の場合、図５に示すように、例えばＵ相巻線において、第１部分巻線Ａ１，Ａ２にはＡ／２の電流が流れ、第２及び第３部分巻線Ｂ１，Ｂ２，Ｃ１，Ｃ２にはＡ／４の電流が流れ、第４部分巻線Ｄ１，Ｄ２にはＡ／２の電流が流れる。したがって、Ａ’＝４×（Ａ／２）＋４×（Ａ／４）＝３Ａとなり、Ｔ＝３Ａ／Ａから、ターン数Ｔは３となる。
【００３８】
以上のように構成された実施形態１の固定子２０によれば、スロット倍数が２とされ、各相スロットに各相巻線が径方向１列に４本ずつ収容され、各相巻線がそれぞれ並列接続された２本の並列巻線４１Ｕ，４１Ｖ，４１Ｗにより構成されている仕様の固定子２０において、３Ｔの特性を有する固定子巻線４０を実現することができる。この固定子巻線４０は、循環電流が流れるΔ結線がなく、Ｙ結線のみで結線されるので、循環電流が発生しない。
【００３９】
また、実施形態１では、直列接続と並列接続の両方で接続される第二の部分巻線群を構成する第２及び第３部分巻線Ｂ１，Ｂ２，Ｃ１，Ｃ２は、固定子コア３０に順番に繰り返し２個ずつ配置された各相スロットの両方に均等に配置されている。そのため、第２及び第３部分巻線Ｂ１，Ｂ２，Ｃ１，Ｃ２を両方の相スロットにバランス良く配置することで、例えば図１２に示すＵ相巻線において、第２部分巻線Ｂ１，Ｂ２と第３部分巻線Ｃ１，Ｃ２間の小ループにおける循環電流の発生を防止することができる。
【００４０】
また、実施形態１では、各相巻線の各並列巻線４１Ｕ，４１Ｖ，４１Ｗは、固定子コア３０に順番に繰り返し２個ずつ配置された各相スロットの両方に均等に配置されている。そのため、第１及び第４部分巻線Ａ１，Ａ２，Ｄ１，Ｄ２を両方の相スロットにバランス良く配置することで、例えば図１２に示すＵ相巻線において、両並列巻線４１Ｕ１，４１Ｕ２間の大ループにおける循環電流の発生を防止することができる。
【００４１】
〔変形例１〕
上記実施形態１において、例えばＵ相巻線の並列巻線４１Ｕ１の第２部分巻線Ｂ１と第３部分巻線Ｃ１は、並列接続されているため、図１４に示すように、第１及び第４部分巻線Ａ１，Ｄ１を流れる電流Ｉの半分の電流しか流れない。そのため、図１３に示すように、第２及び第３部分巻線Ｂ１，Ｃ１の断面積を、第１及び第４部分巻線Ａ１，Ｄ１の断面積の概ね半分にすることができる。これにより、各スロットの径方向長さを小さくすることができるので、固定子２０の小型化が可能となる。
【００４２】
〔実施形態２〕
実施形態２に係る回転電機の固定子（図示せず）は、基本的構成が実施形態１のものと同じであり、固定子巻線４０を構成する各相巻線の巻線仕様が実施形態１のものと異なる。よって、実施形態１と共通する部材や構成については、同じ符号を付して詳しい説明は省略し、以下、異なる点及び重要な点について説明する。
【００４３】
実施形態２の固定子巻線４０は、実施形態１と同様に、４Ｔと２Ｔの中間の３Ｔの特性を有する固定子巻線を実現させたものであるが、実施形態１の固定子巻線４０が外−外渡りタイプのものであるのに対して、外−内渡りタイプのものである点で実施形態１のものと異なる。実施形態２の固定子巻線４０は、図１５に示すように、それぞれ２本の並列巻線４１Ｕ，４１Ｖ，４１Ｗが並列接続された各相巻線（Ｕ相，Ｖ相，Ｗ相）の巻線端が星型結線（Ｙ結線）で結線されている。なお、固定子巻線４０を構成する三相の相巻線は、実施形態１と同様に、電気的位相が異なるだけで巻線仕様が同じであるため、以下、それらの代表としてＵ相巻線の巻線仕様を説明する。
【００４４】
Ｕ相巻線の各並列巻線４１Ｕ１，４１Ｕ２は、図１６に示すように、第１〜第４部分巻線Ａ１，Ａ２〜Ｄ１，Ｄ２により構成されている。但し、実施形態２では、並列接続された第２部分巻線Ｂ１，Ｂ２と第３部分巻線Ｃ１，Ｃ２が長さ方向において２分割されている。そして、一方の分割第２部分巻線Ｂ１−１，Ｂ２−１と一方の分割第３部分巻線Ｃ１−１，Ｃ２−１同士が並列接続されて、第１分割部分並列巻線を構成し、他方の分割第２部分巻線Ｂ１−２，Ｂ２−２と他方の分割第３部分巻線Ｃ１−２，Ｃ２−２同士が並列接続されて、第２分割部分並列巻線を構成している。実施形態２の各並列巻線４１Ｕ１，４１Ｕ２は、第１部分巻線Ａ１，Ａ２の下流側に第１分割部分並列巻線が直列接続され、その下流側に第４部分巻線Ｄ１，Ｄ２が直列接続され、更にその下流側に第２分割部分並列巻線が直列接続されている。
【００４５】
図１７は、固定子コア３０の各Ｕ相スロットＵ１，Ｕ２に巻装された一方の並列巻線４１Ｕ１のスロット収容位置を示す巻線配置図である。また、図１８〜図２１は、図１７に記載された並列巻線４１Ｕ１の巻回状態を容易に理解できるようにするために、並列巻線４１Ｕ１を構成する第１〜第４部分巻線Ａ１〜Ｄ１のそれぞれの巻回状態を単独で記載した巻線配置図である。
【００４６】
なお、実施形態１の場合と同様に、図１７〜図２１において、第１〜第４部分巻線Ａ１〜Ｄ１の第１コイルエンド部４０ａ側の結線構造が実線で記載され、第１〜第４部分巻線Ａ１〜Ｄ１の第２コイルエンド部４０ｂ側の結線構造が破線で記載されている。また、各Ｕ相スロットＵ１，Ｕ２に収容される４本のＵ相巻線は、固定子コア３０の内周側から順番に、第１層、第２層、第３層、第４層とする。また、各Ｕ相スロットＵ１，Ｕ２に収容される第１〜第４部分巻線Ａ１〜Ｄ１のスロット収容部は、始端側から終端側に向かって順番に第１スロット収容部、第２スロット収容部、・・・・・、とする。
【００４７】
第１部分巻線Ａ１は、図１８に示すように、時計の１２時の位置にあるＵ相スロットＵ１の第１層に始端側の第１スロット収容部が収容され、第２スロット収容部が反時計回り方向に６スロット離れたＵ相スロットＵ１の第２層に収容されている。その後、反時計回り方向に６スロットずつ離れたＵ相スロットＵ１の第１層と第２層に交互に収容されて、最終端の第８スロット収容部が、時計の１時３０分の位置にあるＵ相スロットＵ１の第２層に収容されている。
【００４８】
第１部分巻線Ａ１と直列接続された第２部分巻線Ｂ１−１は、図１９に示すように、時計の１時３０分の位置にあるＵ相スロットＵ１の第２層から、反時計回り方向に５スロット離れたＵ相スロットＵ２の第３層に第１スロット収容部が収容されている。その後、反時計回り方向に６スロットずつ離れたＵ相スロットＵ２の第４層と第３層に交互に収容されて、第４スロット収容部が、時計の７時３０分の位置にあるＵ相スロットＵ２の第４層に収容されている。そして、次の最終端の第５スロット収容部が、反時計回り方向に６スロット離れた時計の６時の位置にあるＵ相スロットＵ２の第１層に収容されて、第４層から第１層に渡る外−内渡りとなっている。
【００４９】
また、第１部分巻線Ａ１と直列接続されて第２部分巻線Ｂ１−１と並列接続された第３部分巻線Ｃ１−１は、図２０に示すように、時計の１時３０分の位置にあるＵ相スロットＵ１の第２層から、反時計回り方向に６スロット離れたＵ相スロットＵ１の第３層に第１スロット収容部が収容されている。その後、反時計回り方向に６スロットずつ離れたＵ相スロットＵ１の第４層と第３層に交互に収容されて、第４スロット収容部が、時計の７時３０分の位置にあるＵ相スロットＵ１の第４層に収容されている。そして、次の最終端の第５スロット収容部が、反時計回り方向に５スロット離れた時計の６時の位置にあるＵ相スロットＵ２の第１層に収容されて、第４層から第１層に渡る外−内渡りとなっている。
【００５０】
第２及び第３部分巻線Ｂ１−１，Ｃ１−１と直列接続された第４部分巻線Ｄ１は、図２１に示すように、時計の６時の位置にあるＵ相スロットＵ２の第１層から、反時計回り方向に６スロット離れたＵ相スロットＵ２の第２層に第１スロット収容部が収容されている。その後、反時計回り方向に６スロットずつ離れたＵ相スロットＵ２の第１層と第２層に交互に収容されて、最終端の第７スロット収容部が、時計の７時３０分の位置にあるＵ相スロットＵ２の第２層に収容されている。
【００５１】
第４部分巻線Ｄ１と直列接続された第２部分巻線Ｂ１−２は、図１９に示すように、時計の７時３０分の位置にあるＵ相スロットＵ２の第２層から、反時計回り方向に７スロット離れたＵ相スロットＵ１の第３層に第１スロット収容部が収容されている。その後、反時計回り方向に６スロットずつ離れたＵ相スロットＵ１の第３層と第４層に交互に収容されて、最終端の第４スロット収容部が、時計の１時３０分の位置にあるＵ相スロットＵ１の第４層に収容されている。
【００５２】
また、第４部分巻線Ｄ１と直列接続されて第２部分巻線Ｂ１−２と並列接続された第３部分巻線Ｃ１−２は、図２０に示すように、時計の７時３０分の位置にあるＵ相スロットＵ２の第２層から、反時計回り方向に６スロット離れたＵ相スロットＵ２の第３層に第１スロット収容部が収容されている。その後、反時計回り方向に６スロットずつ離れたＵ相スロットＵ２の第４層と第３層に交互に収容されて、最終端の第４スロット収容部が、時計の１時３０分の位置にあるＵ相スロットＵ２の第４層に収容されている。
【００５３】
Ｕ相巻線の一方の並列巻線４１Ｕ１は、上記のようにして固定子コア３０の各Ｕ相スロットＵ１，Ｕ２に巻装されている。即ち、実施形態２の並列巻線４１Ｕ１は、前半の最終端となる第２及び第３部分巻線Ｂ１−１，Ｃ１−１の最終端部が、各Ｕ相スロットＵ１，Ｕ２の第４層から第１層に渡る外−内渡りとなっているタイプのものである。
【００５４】
そして、他方の並列巻線４１Ｕ２も、一方の並列巻線４１Ｕ１と同様にして固定子コア３０の各相スロットＵ１，Ｕ２に巻装される。この場合、他方の並列巻線４１Ｕ２の第１部分巻線Ａ２の巻回開始位置は、例えば、一方の並列巻線４１Ｕ１の第１部分巻線Ａ１の巻回開始位置（図１７において時計の１２時の位置）から反時計回り方向に約４５°位相がずれた位置（図１７において時計の１０時３０分の位置）にあるＵ相スロットＵ２にされている。
【００５５】
また、他方の並列巻線４１Ｕ２が収容されるＵ相スロットＵ１，Ｕ２は、一方の並列巻線４１Ｕ１が収容されるＵ相スロットＵ１，Ｕ２と逆にされる。例えば、一方の並列巻線４１Ｕ１の第１部分巻線Ａ１がＵ相スロットＵ１に収容されていれば、他方の並列巻線４１Ｕ２の第１部分巻線Ａ２はＵ相スロットＵ２に収容される。このようにして各Ｕ相スロットＵ１，Ｕ２には、図２２に示すように、Ｕ相巻線が径方向１列に２×Ｎ本（Ｎ＝２で４本）ずつ収容されている。
【００５６】
図２２は、固定子コア３０のＵ相スロットＵ１，Ｕ２内における第１〜第４部分巻線Ａ１，Ａ２〜Ｄ１，Ｄ２の配置位置の一例を示すものである。図２２に例示された２個のＵ相スロットＵ１，Ｕ２は、図１７において時計の１０時３０分の位置にあるものである。なお、図１１において、Ｕ相スロットＵ１の第１層には、他方の並列巻線４１Ｕ２の第４部分巻線Ｄ２が収容され、Ｕ相スロットＵ２の第２層には、他方の並列巻線４１Ｕ２の第１部分巻線Ａ２が収容されている。
【００５７】
上記のように巻装された並列巻線４１Ｕ１，４１Ｕ２は、各相スロットＵ１，Ｕ２内の第１層と第２層に交互に収容される第一の部分巻線群（Ａ１，Ａ２，Ｄ１，Ｄ２）と、各相スロットＵ１，Ｕ２内の第３層と第４層に交互に収容される第二の部分巻線群（Ｂ１−１，Ｂ１−２，Ｂ２−１，Ｂ２−２，Ｃ１−１，Ｃ１−２，Ｃ２−１，Ｃ２−２）との２種類の部分巻線群に分類される。即ち、スロット内での収容位置が異なるＮ種類の部分巻線群に分類されており、実施形態１の場合には、Ｎ＝２で２種類の部分巻線群に分類される。
【００５８】
そして、Ｎ種類（Ｎ＝２で２種類）のうちの（Ｎ−１）種類（Ｎ＝２で１種類）である第一の部分巻線群を構成する第１及び第４部分巻線Ａ１，Ａ２，Ｄ１，Ｄ２は、直列接続のみで接続されている。これらの直列接続のみで接続される第１及び第４部分巻線Ａ１，Ａ２，Ｄ１，Ｄ２は、固定子コア３０に順番に繰り返し２個ずつ配置されたＵ相スロットＵ１，Ｕ２の両方に均等に配置されている。
【００５９】
また、残りの１種類の第二の部分巻線群を構成する第２及び第３部分巻線Ｂ１−１，Ｂ１−２，Ｂ２−１，Ｂ２−２，Ｃ１−１，Ｃ１−２，Ｃ２−１，Ｃ２−２は、直列接続と並列接続の両方で接続されている。これらの直列接続と並列接続の両方で接続される第２及び第３部分巻線Ｂ１−１，Ｂ１−２，Ｂ２−１，Ｂ２−２，Ｃ１−１，Ｃ１−２，Ｃ２−１，Ｃ２−２も、固定子コア３０に順番に繰り返し２個ずつ配置されたＵ相スロットＵ１，Ｕ２の両方に均等に配置されている。したがって、Ｕ相巻線の各並列巻線４１Ｕ１，４１Ｕ２は、固定子コア３０に順番に繰り返し２個ずつ配置されたＵ相スロットの両方に均等に配置されている。
【００６０】
以上のように結線された実施形態２の固定子巻線４０は、４Ｔと２Ｔの中間の３Ｔの特性を有する。即ち、実施形態２の場合には、例えば図１６に示すＵ相巻線において、第１部分巻線Ａ１，Ａ２にはＡ／２の電流が流れ、第１分割部分並列巻線Ｂ１−１，Ｂ２−１，Ｃ１−１，Ｃ２−１にはＡ／４の電流が流れ、第４部分巻線Ｄ１，Ｄ２にはＡ／２の電流が流れ、第１分割部分並列巻線Ｂ１−２，Ｂ２−２，Ｃ１−２，Ｃ２−２にはＡ／４の電流が流れる。したがって、一極当たりに入っている電流Ａ’＝４×（Ａ／２）＋４×（Ａ／４）＝３Ａとなり、Ｔ＝３Ａ／Ａから、ターン数Ｔは３となる。
【００６１】
以上のように構成された実施形態２の固定子によれば、スロット倍数が２とされ、各相スロットに各相巻線が径方向１列に４本ずつ収容され、各相巻線がそれぞれ並列接続された２本の並列巻線４１Ｕ，４１Ｖ，４１Ｗにより構成されている仕様の固定子において、循環電流が発生することのない３Ｔの特性を有する固定子巻線４０を実現することができるなど、実施形態１と同様の効果を奏する。
【００６２】
なお、実施形態２の場合にも、変形例１のように、直列接続と並列接続の両方で接続される第２及び第３部分巻線Ｂ，Ｃの断面積を、直列接続のみで接続される第１及び第４部分巻線Ａ，Ｄの断面積の概ね半分にすることができる。
【００６３】
〔実施形態３〕
実施形態３に係る回転電機の固定子（図示せず）は、基本的構成が実施形態１のものと同じであり、固定子巻線４０を構成する各相巻線の巻線仕様が実施形態１のものと異なる。よって、実施形態１と共通する部材や構成については、同じ符号を付して詳しい説明は省略し、以下、異なる点及び重要な点について説明する。
【００６４】
実施形態３の固定子巻線４０は、実施形態１では３Ｔの特性を有するものであるのに対して、６Ｔと４Ｔの中間の５Ｔの特性を有する固定子巻線を実現させたものである。この固定子巻線４０は、図２３に示すように、それぞれ２本の並列巻線４１Ｕ，４１Ｖ，４１Ｗが並列接続された各相巻線（Ｕ相，Ｖ相，Ｗ相）の巻線端が星型結線（Ｙ結線）で結線されている。なお、固定子巻線４０を構成する三相の相巻線は、実施形態１と同様に、電気的位相が異なるだけで巻線仕様が同じであるため、以下、それらの代表としてＵ相巻線の巻線仕様を説明する。
【００６５】
Ｕ相巻線の各並列巻線４１Ｕ１，４１Ｕ２は、図２４に示すように、６個の第１〜第６部分巻線Ａ１，Ａ２〜Ｆ１，Ｆ２により構成されている。各並列巻線４１Ｕ，４１Ｕ２は、第３部分巻線Ｃ１，Ｃ２と第４部分巻線Ｄ１，Ｄ２が並列接続されて部分並列巻線を構成し、その部分並列巻線の上流側に第１部分巻線Ａ１，Ａ２及び第２部分巻線Ｂ１，Ｂ２が直列接続され、その部分並列巻線の下流側に第５部分巻線Ｅ１，Ｅ２及び第６部分巻線Ｆ１，Ｆ２が直列接続されている。
【００６６】
図２５は、固定子コア３０の各Ｕ相スロットＵ１，Ｕ２に巻装された一方の並列巻線４１Ｕ１のスロット収容位置を示す巻線配置図である。なお、実施形態３の場合にも、図２５において、第１〜第６部分巻線Ａ１，Ａ２〜Ｆ１，Ｆ２の第１コイルエンド部４０ａ側の結線構造が実線で記載され、第１〜第６部分巻線Ａ１，Ａ２〜Ｆ１，Ｆ２の第２コイルエンド部４０ｂ側の結線構造が破線で記載されている。また、実施形態３の場合、各Ｕ相スロットＵ１，Ｕ２には、Ｕ相巻線が径方向１列に２×Ｎ本（Ｎ＝３で６本）ずつ収容されている（図２６参照）。そして、各Ｕ相スロットＵ１，Ｕ２に収容されたＵ相巻線のスロット内収容位置は、固定子コア３０の内周側から順番に、第１層、第２層、・・・、第６層とする。
【００６７】
実施形態３の並列巻線４１Ｕ１は、実施形態１と同様に、第１部分巻線Ａ１の始端側の第１スロット収容部が、時計の１２時の位置にあるＵ相スロットＵ１の第１層に収容されている。その後、反時計回り方向に６スロットずつ離れたＵ相スロットＵ１の第２層と第１層に交互に収容されて、最終端の第８スロット収容部が、時計の１時３０分の位置にあるＵ相スロットＵ１の第２層に収容されている。
【００６８】
第１部分巻線Ａ１と直列接続された第２部分巻線Ｂ１は、時計の１時３０分の位置にあるＵ相スロットＵ１の第２層から、反時計回り方向に６スロット離れたＵ相スロットＵ１の第３層に第１スロット収容部が収容されている。その後、反時計回り方向に６スロットずつ離れたＵ相スロットＵ１の第４層と第３層に交互に収容されて、最終端の第８スロット収容部が、時計の１時３０分の位置にあるＵ相スロットＵ１の第４層に収容されている。
【００６９】
第２部分巻線Ｂ１と直列接続された第３部分巻線Ｃ１は、時計の１時３０分の位置にあるＵ相スロットＵ１の第４層から、反時計回り方向に５スロット離れたＵ相スロットＵ２の第５層に第１スロット収容部が収容されている。その後、反時計回り方向に６スロットずつ離れたＵ相スロットＵ２の第６層と第５層に交互に収容されて、第４スロット収容部が、時計の７時３０分の位置にあるＵ相スロットＵ２の第６層に収容されている。そして、次の第５スロット収容部が、時計回り方向に５スロット離れたＵ相スロットＵ１の第６層に収容されて、第６層から第６層に渡る外−外渡りとなっている。その後、時計回り方向に６スロットずつ離れたＵ相スロットＵ１の第５層と第６層に交互に収容されて、最終端の第９スロット収容部が、時計の３時の位置にあるＵ相スロットＵ２の第４層に収容されている。
【００７０】
また、第２部分巻線Ｂ１と直列接続されて第３部分巻線Ｃ１と並列接続された第４部分巻線Ｄ１は、時計の１時３０分の位置にあるＵ相スロットＵ１の第４層から、反時計回り方向に６スロット離れたＵ相スロットＵ１の第５層に第１スロット収容部が収容されている。その後、反時計回り方向に６スロットずつ離れたＵ相スロットＵ１の第６層と第５層に交互に収容されて、第４スロット収容部が、時計の７時３０分の位置にあるＵ相スロットＵ１の第６層に収容されている。そして、次の第５スロット収容部が、時計回り方向に７スロット離れたＵ相スロットＵ２の第６層に収容されて、第６層から第６層に渡る外−外渡りとなっている。その後、時計回り方向に６スロットずつ離れたＵ相スロットＵ２の第５層と第６層に交互に収容されて、最終端の第９スロット収容部が、時計の３時の位置にあるＵ相スロットＵ２の第４層に収容されている。
【００７１】
第３及び第４部分巻線Ｃ１，Ｄ１と直列接続された第５部分巻線Ｅ１は、時計の３時の位置にあるＵ相スロットＵ２の第４層から、時計回り方向に６スロット離れたＵ相スロットＵ２の第３層に第１スロット収容部が収容されている。その後、時計回り方向に６スロットずつ離れたＵ相スロットＵ２の第４層と第３層に交互に収容されて、最終端の第８スロット収容部が、時計の１時３０分の位置にあるＵ相スロットＵ２の第３層に収容されている。
【００７２】
第５部分巻線Ｅ１と直列接続された第６部分巻線Ｆ１は、時計の１時３０分の位置にあるＵ相スロットＵ２の第３層から、時計回り方向に６スロット離れたＵ相スロットＵ２の第２層に第１スロット収容部が収容されている。その後、時計回り方向に６スロットずつ離れたＵ相スロットＵ２の第１層と第２層に交互に収容されて、最終端の第８スロット収容部が、時計の１時３０分の位置にあるＵ相スロットＵ２の第１層に収容されている。
【００７３】
そして、実施形態３の場合にも、実施形態１と同様に、他方の並列巻線４１Ｕ２が、一方の並列巻線４１Ｕ１と同様にして固定子コア３０の各相スロットＵ１，Ｕ２に巻装される。図２６は、固定子コア３０のＵ相スロットＵ１，Ｕ２内における第１〜第６部分巻線Ａ１，Ａ２〜Ｆ１，Ｆ２の配置位置の一例を示すものである。図２６に例示された２個のＵ相スロットＵ１，Ｕ２は、図２５において時計の１０時３０分の位置にあるものである。なお、図２６において、Ｕ相スロットＵ１の第１層には、他方の並列巻線４１Ｕ２の第６部分巻線Ｆ２が収容され、Ｕ相スロットＵ１の第３層には、他方の並列巻線４１Ｕ２の第５部分巻線Ｅ２が収容されている。また、Ｕ相スロットＵ２の第２層には、他方の並列巻線４１Ｕ２の第１部分巻線Ａ２が収容され、Ｕ相スロットＵ２の第４層には、他方の並列巻線４１Ｕ２の第２部分巻線Ｂ２が収容されている。
【００７４】
上記のように巻装された並列巻線４１Ｕ１，４１Ｕ２は、各相スロットＵ１，Ｕ２内の第１層と第２層に交互に収容される第一の部分巻線群（Ａ１，Ａ２，Ｆ１，Ｆ２）と、各相スロットＵ１，Ｕ２内の第３層と第４層に交互に収容される第二の部分巻線群（Ｂ１，Ｂ２，Ｅ１，Ｅ２）と、各相スロットＵ１，Ｕ２内の第５層と第６層に交互に収容される第三の部分巻線群（Ｃ１，Ｃ２，Ｄ１，Ｄ２）との３種類の部分巻線群に分類される。即ち、スロット内での収容位置が異なるＮ種類の部分巻線群に分類されており、実施形態３の場合には、Ｎ＝３で３種類の部分巻線群に分類される。
【００７５】
そして、Ｎ種類（Ｎ＝３で３種類）のうちの（Ｎ−１）種類（Ｎ＝３で２種類）である第一及び第二の部分巻線群を構成する第１及び第４部分巻線Ａ１，Ａ２，Ｂ１，Ｂ２，Ｅ１，Ｅ２，Ｆ１，Ｆ２は、直列接続のみで接続されている。これらの直列接続のみで接続される第１、第２、第５及び第６部分巻線Ａ１，Ａ２，Ｂ１，Ｂ２，Ｅ１，Ｅ２，Ｆ１，Ｆ２は、固定子コア３０に順番に繰り返し２個ずつ配置されたＵ相スロットＵ１，Ｕ２の両方に均等に配置されている。
【００７６】
また、残りの１種類の第三の部分巻線群を構成する第３及び第４部分巻線Ｃ１，Ｃ２，Ｄ１，Ｄ２は、直列接続と並列接続の両方で接続されている。これらの直列接続と並列接続の両方で接続される第３及び第４部分巻線Ｃ１，Ｃ２，Ｄ１，Ｄ２も、固定子コア３０に順番に繰り返し２個ずつ配置されたＵ相スロットＵ１，Ｕ２の両方に均等に配置されている。したがって、Ｕ相巻線の各並列巻線４１Ｕ１，４１Ｕ２は、固定子コア３０に順番に繰り返し２個ずつ配置されたＵ相スロットの両方に均等に配置されている。
【００７７】
以上のように結線された実施形態３の固定子巻線４０は、６Ｔと４Ｔの中間の５Ｔの特性を有する。即ち、実施形態３の場合には、例えば図２４に示すＵ相巻線において、第１部分巻線Ａ１，Ａ２にはＡ／２の電流が流れ、第２部分巻線Ｂ１，Ｂ２にはＡ／２の電流が流れ、第３及び第４部分巻線Ｃ１，Ｃ２，Ｄ１，Ｄ２にはＡ／４の電流が流れ、第５部分巻線Ｅ１，Ｅ２にはＡ／２の電流が流れ、第６部分巻線Ｆ１，Ｆ２にはＡ／２の電流が流れる。したがって、一極当たりに入っている電流Ａ’＝８×（Ａ／２）＋４×（Ａ／４）＝５Ａとなり、Ｔ＝５Ａ／Ａから、ターン数Ｔは５となる。
【００７８】
以上のように構成された実施形態３の固定子によれば、スロット倍数が２とされ、各相スロットに各相巻線が径方向１列に６本ずつ収容され、各相巻線がそれぞれ並列接続された２本の並列巻線４１Ｕ，４１Ｖ，４１Ｗにより構成されている仕様の固定子において、循環電流が発生することのない５Ｔの特性を有する固定子巻線４０を実現することができる。
【００７９】
なお、実施形態３の場合にも、変形例１のように、直列接続と並列接続の両方で接続される第３及び第４部分巻線Ｃ，Ｄの断面積を、直列接続のみで接続される第１、第２、第５及び第６部分巻線Ａ，Ｂ，Ｅ，Ｆの断面積の概ね半分にすることができる。
【００８０】
〔実施形態４〕
実施形態４に係る回転電機の固定子（図示せず）は、基本的構成が実施形態３のものと同じであり、固定子巻線４０を構成する各相巻線の巻線仕様が実施形態３のものと異なる。よって、実施形態３と共通する部材や構成については、同じ符号を付して詳しい説明は省略し、以下、異なる点及び重要な点について説明する。
【００８１】
実施形態４の固定子巻線４０は、実施形態３と同様に、５Ｔの特性を有する固定子巻線を実現させたものであるが、実施形態３の固定子巻線４０が外−外渡りタイプであるのに対して、実施形態２と同様の外−内渡りタイプである点で実施形態３のものと異なる。この固定子巻線４０は、図２７に示すように、それぞれ２本の並列巻線４１Ｕ，４１Ｖ，４１Ｗが並列接続された各相巻線（Ｕ相，Ｖ相，Ｗ相）の巻線端が星型結線（Ｙ結線）で結線されている。以下、実施形態３の場合と同様に、それらの代表としてＵ相巻線の巻線仕様を説明する。
【００８２】
実施形態４のＵ相巻線の各並列巻線４１Ｕ１，４１Ｕ２は、図２８に示すように、実施形態３と同様に、第１〜第６部分巻線Ａ１，Ａ２〜Ｆ１，Ｆ２により構成されている。但し、実施形態３において、並列接続された第３部分巻線Ｃ１，Ｃ２と第４部分巻線Ｄ１，Ｄ２が、実施形態４では長さ方向において２分割されている。そして、一方の分割第３部分巻線Ｃ１−１，Ｃ２−１と一方の分割第４部分巻線Ｄ１−１，Ｄ２−１同士が並列接続されて、第１分割部分並列巻線を構成し、他方の分割第３部分巻線Ｃ１−２，Ｃ２−２と他方の分割第４部分巻線Ｄ１−２，Ｄ２−２同士が並列接続されて、第２分割部分並列巻線を構成している。
【００８３】
実施形態４の各並列巻線４１Ｕ１，４１Ｕ２は、第１部分巻線Ａ１，Ａ２の下流側に、第２部分巻線Ｂ１，Ｂ２、第１分割部分並列巻線、第５部分巻線Ｅ１，Ｅ２、第６部分巻線Ｆ１，Ｆ２、第２分割部分並列巻線が順番に直列接続されている。
【００８４】
実施形態４の並列巻線４１Ｕ１，４１Ｕ２の巻回方法は、実施形態２と同じ外−内渡りタイプであるため、以下、一方の並列巻線４１Ｕ１について実施形態２の巻回方法と比較しつつ説明する。実施形態４の並列巻線４１Ｕ１の第１部分巻線Ａ１は、実施形態２の並列巻線４１Ｕ１の第１部分巻線Ａ１と同様に、各Ｕ相スロットＵ１，Ｕ２内の第１層と第２層に交互に収容されて巻回される。実施形態４の第１部分巻線Ａ１と直列接続された第２部分巻線Ｂ１は、第１部分巻線Ａ１の巻回方法に準じて、各Ｕ相スロットＵ１，Ｕ２内の第３層と第４層に交互に収容されて巻回される。
【００８５】
実施形態４の第２部分巻線Ｂ１と直列接続された第３部分巻線Ｃ１−１は、実施形態２の第２部分巻線Ｂ１−１の巻回方法に準じて、各Ｕ相スロットＵ１，Ｕ２内の第５層と第６層に交互に収容されて巻回される。また、実施形態４の第２部分巻線Ｂ１と直列接続され第３部分巻線Ｃ１−１と並列接続された第４部分巻線Ｄ１−１は、実施形態２の第３部分巻線Ｃ１−１の巻回方法に準じて、各Ｕ相スロットＵ１，Ｕ２内の第５層と第６層に交互に収容されて巻回される。
【００８６】
実施形態４の第３及び第４部分巻線Ｃ１−１，Ｄ１−１と直列接続された第５部分巻線Ｅ１は、実施形態２の第４部分巻線Ｄ１−１の巻回方法に準じて、各Ｕ相スロットＵ１，Ｕ２内の第１層と第２層に交互に収容されて巻回される。実施形態４の第５部分巻線Ｅ１と直列接続された第６部分巻線Ｆ１は、第５部分巻線Ｅ１の巻回方法に準じて、各Ｕ相スロットＵ１，Ｕ２内の第３層と第４層に交互に収容されて巻回される。
【００８７】
実施形態４の第６部分巻線Ｆ１と直列接続された第３部分巻線Ｃ１−２は、実施形態２の第２部分巻線Ｂ１−２の巻回方法に準じて、各Ｕ相スロットＵ１，Ｕ２内の第５層と第６層に交互に収容されて巻回される。また、実施形態４の第６部分巻線Ｆ１と直列接続され第３部分巻線Ｃ１−２と並列接続された第４部分巻線Ｄ１−２は、実施形態２の第３部分巻線Ｃ１−２の巻回方法に準じて、各Ｕ相スロットＵ１，Ｕ２内の第５層と第６層に交互に収容されて巻回される。
【００８８】
なお、実施形態４の他方の並列巻線４１Ｕ２は、実施形態２の他方の並列巻線４１Ｕ２に準じて、各Ｕ相スロットＵ１，Ｕ２に収容されて巻回される。このようにして各Ｕ相スロットＵ１，Ｕ２には、Ｕ相巻線が径方向１列に２×Ｎ本（Ｎ＝３で６本）ずつ収容される。
【００８９】
そして、実施形態４の各並列巻線４１Ｕ１，４１Ｕ２は、各Ｕ相スロットＵ１，Ｕ２内の第１層と第２層に交互に収容される第一の部分巻線群（Ａ１，Ａ２，Ｅ１，Ｅ２）と、各Ｕ相スロットＵ１，Ｕ２内の第３層と第４層に交互に収容される第二の部分巻線群（Ｂ１，Ｂ２，Ｆ１，Ｆ２）と、各Ｕ相スロットＵ１，Ｕ２内の第５層と第６層に交互に収容される第三の部分巻線群（Ｃ１−１，Ｃ１−２，Ｃ２−１，Ｃ２−２，Ｄ１−１，Ｄ１−２，Ｄ２−１，Ｄ２−２）との３種類の部分巻線群に分類される。即ち、スロット内での収容位置が異なるＮ種類の部分巻線群に分類されており、実施形態４の場合には、Ｎ＝３で３種類の部分巻線群に分類される。
【００９０】
以上のように結線された実施形態４の固定子巻線４０は、６Ｔと４Ｔの中間の５Ｔの特性を有する。即ち、実施形態４の場合には、例えば図２８に示すＵ相巻線において、第１部分巻線Ａ１，Ａ２にはＡ／２の電流が流れ、第２部分巻線Ｂ１，Ｂ２にはＡ／２の電流が流れ、第１分割部分並列巻線Ｃ１−１，Ｃ２−１，Ｄ１−１，Ｄ２−１にはＡ／４の電流が流れ、第５部分巻線Ｅ１，Ｅ２にはＡ／２の電流が流れ、第６部分巻線Ｆ１，Ｆ２にはＡ／２の電流が流れ、第２分割部分並列巻線Ｃ１−２，Ｃ２−２，Ｄ１−２，Ｄ２−２にはＡ／４の電流が流れる。したがって、一極当たりに入っている電流Ａ’＝８×（Ａ／２）＋４×（Ａ／４）＝５Ａとなり、Ｔ＝５Ａ／Ａから、ターン数Ｔは５となる。
【００９１】
以上のように構成された実施形態４の固定子によれば、スロット倍数が２とされ、各相スロットに各相巻線が径方向１列に６本ずつ収容され、各相巻線がそれぞれ並列接続された２本の並列巻線４１Ｕ，４１Ｖ，４１Ｗにより構成されている仕様の固定子において、循環電流が発生することのない５Ｔの特性を有する固定子巻線４０を実現することができるなど、実施形態３と同様の効果を奏する。
【００９２】
なお、実施形態４の場合にも、変形例１のように、直列接続と並列接続の両方で接続される第３及び第４部分巻線Ｃ，Ｄの断面積を、直列接続のみで接続される第１、第２、第５及び第６部分巻線Ａ，Ｂ，Ｅ，Ｆの断面積の概ね半分にすることができる。
【００９３】
〔実施形態５〕
実施形態５に係る回転電機の固定子（図示せず）は、基本的構成が実施形態１のものと同じであり、固定子巻線４０を構成する各相巻線の巻線仕様が実施形態１のものと異なる。よって、実施形態１と共通する部材や構成については、同じ符号を付して詳しい説明は省略し、以下、異なる点及び重要な点について説明する。
【００９４】
実施形態５の固定子巻線４０は、実施形態１では３Ｔの特性を有するものであるのに対して、８Ｔと６Ｔの中間の７Ｔの特性を有する固定子巻線を実現させたものである。この固定子巻線４０は、図２９に示すように、それぞれ２本の並列巻線４１Ｕ，４１Ｖ，４１Ｗが並列接続された各相巻線（Ｕ相，Ｖ相，Ｗ相）の巻線端が星型結線（Ｙ結線）で結線されている。なお、固定子巻線４０を構成する三相の相巻線は、実施形態１と同様に、電気的位相が異なるだけで巻線仕様が同じであるため、以下、それらの代表としてＵ相巻線の巻線仕様を説明する。
【００９５】
Ｕ相巻線の各並列巻線４１Ｕ１，４１Ｕ２は、図３０に示すように、８個の第１〜第８部分巻線Ａ１，Ａ２〜Ｈ１，Ｈ２により構成されている。各並列巻線４１Ｕ，４１Ｕ２は、第４部分巻線Ｄ１，Ｄ２と第５部分巻線Ｅ１，Ｅ２が並列接続されて部分並列巻線を構成し、その部分並列巻線の上流側に第１部分巻線Ａ１，Ａ２と第２部分巻線Ｂ１，Ｂ２と第３部分巻線Ｃ１，Ｃ２が直列接続され、その部分並列巻線の下流側に第６部分巻線Ｆ１，Ｆ２と第７部分巻線Ｇ１，Ｇ２と第８部分巻線Ｈ１，Ｈ２が直列接続されている。
【００９６】
図３１は、固定子コア３０の各Ｕ相スロットＵ１，Ｕ２に巻装された一方の並列巻線４１Ｕ１のスロット収容位置を示す巻線配置図である。なお、実施形態５の場合にも、図３１において、第１〜第８部分巻線Ａ１，Ａ２〜Ｈ１，Ｈ２の第１コイルエンド部４０ａ側の結線構造が実線で記載され、第１〜第６部分巻線Ａ１，Ａ２〜Ｈ１，Ｈ２の第２コイルエンド部４０ｂ側の結線構造が破線で記載されている。また、実施形態５の場合、各Ｕ相スロットＵ１，Ｕ２には、Ｕ相巻線が径方向１列に２×Ｎ本（Ｎ＝４で８本）ずつ収容されている（図３２参照）。そして、各Ｕ相スロットＵ１，Ｕ２に収容されたＵ相巻線のスロット内収容位置は、固定子コア３０の内周側から順番に、第１層、第２層、・・・・・、第８層とする。
【００９７】
実施形態５の並列巻線４１Ｕ１は、実施形態１と同様に、第１部分巻線Ａ１の始端側の第１スロット収容部が、時計の１２時の位置にあるＵ相スロットＵ１の第１層に収容されている。その後、反時計回り方向に６スロットずつ離れたＵ相スロットＵ１の第２層と第１層に交互に収容されて、最終端の第８スロット収容部が、時計の１時３０分の位置にあるＵ相スロットＵ１の第２層に収容されている。
【００９８】
第１部分巻線Ａ１と直列接続された第２部分巻線Ｂ１は、時計の１時３０分の位置にあるＵ相スロットＵ１の第２層から、反時計回り方向に６スロット離れたＵ相スロットＵ１の第３層に第１スロット収容部が収容されている。その後、反時計回り方向に６スロットずつ離れたＵ相スロットＵ１の第４層と第３層に交互に収容されて、最終端の第８スロット収容部が、時計の１時３０分の位置にあるＵ相スロットＵ１の第４層に収容されている。
【００９９】
第２部分巻線Ｂ１と直列接続された第３部分巻線Ｃ１は、時計の１時３０分の位置にあるＵ相スロットＵ１の第４層から、反時計回り方向に６スロット離れたＵ相スロットＵ１の第５層に第１スロット収容部が収容されている。その後、反時計回り方向に６スロットずつ離れたＵ相スロットＵ２の第６層と第５層に交互に収容されて、最終端の第８スロット収容部が、時計の１時３０分の位置にあるＵ相スロットＵ１の第６層に収容されている。
【０１００】
第３部分巻線Ｃ１と直列接続された第４部分巻線Ｄ１は、時計の１時３０分の位置にあるＵ相スロットＵ１の第６層から、反時計回り方向に５スロット離れたＵ相スロットＵ２の第７層に第１スロット収容部が収容されている。その後、反時計回り方向に６スロットずつ離れたＵ相スロットＵ２の第８層と第７層に交互に収容されて、第４スロット収容部が、時計の７時３０分の位置にあるＵ相スロットＵ２の第８層に収容されている。そして、次の第５スロット収容部が、時計回り方向に５スロット離れたＵ相スロットＵ１の第８層に収容されて、第８層から第８層に渡る外−外渡りとなっている。その後、時計回り方向に６スロットずつ離れたＵ相スロットＵ１の第７層と第８層に交互に収容されて、最終端の第９スロット収容部が、時計の３時の位置にあるＵ相スロットＵ２の第６層に収容されている。
【０１０１】
また、第３部分巻線Ｃ１と直列接続されて第４部分巻線Ｄ１と並列接続された第５部分巻線Ｅ１は、時計の１時３０分の位置にあるＵ相スロットＵ１の第６層から、反時計回り方向に６スロット離れたＵ相スロットＵ１の第７層に第１スロット収容部が収容されている。その後、反時計回り方向に６スロットずつ離れたＵ相スロットＵ１の第８層と第７層に交互に収容されて、第４スロット収容部が、時計の７時３０分の位置にあるＵ相スロットＵ１の第８層に収容されている。そして、次の第５スロット収容部が、時計回り方向に７スロット離れたＵ相スロットＵ２の第８層に収容されて、第８層から第８層に渡る外−外渡りとなっている。その後、時計回り方向に６スロットずつ離れたＵ相スロットＵ２の第７層と第８層に交互に収容されて、最終端の第９スロット収容部が、時計の３時の位置にあるＵ相スロットＵ２の第６層に収容されている。
【０１０２】
第４及び第５部分巻線Ｄ１，Ｅ１と直列接続された第６部分巻線Ｆ１は、時計の３時の位置にあるＵ相スロットＵ２の第６層から、時計回り方向に６スロット離れたＵ相スロットＵ２の第５層に第１スロット収容部が収容されている。その後、時計回り方向に６スロットずつ離れたＵ相スロットＵ２の第６層と第５層に交互に収容されて、最終端の第７スロット収容部が、時計の１時３０分の位置にあるＵ相スロットＵ２の第５層に収容されている。
【０１０３】
第６部分巻線Ｆ１と直列接続された第７部分巻線Ｇ１は、時計の１時３０分の位置にあるＵ相スロットＵ２の第５層から、時計回り方向に６スロット離れたＵ相スロットＵ２の第４層に第１スロット収容部が収容されている。その後、時計回り方向に６スロットずつ離れたＵ相スロットＵ２の第３層と第４層に交互に収容されて、最終端の第８スロット収容部が、時計の１時３０分の位置にあるＵ相スロットＵ２の第３層に収容されている。
【０１０４】
第７部分巻線Ｇ１と直列接続された第８部分巻線Ｈ１は、時計の１時３０分の位置にあるＵ相スロットＵ２の第３層から、時計回り方向に６スロット離れたＵ相スロットＵ２の第２層に第１スロット収容部が収容されている。その後、時計回り方向に６スロットずつ離れたＵ相スロットＵ２の第１層と第２層に交互に収容されて、最終端の第８スロット収容部が、時計の１時３０分の位置にあるＵ相スロットＵ２の第１層に収容されている。
【０１０５】
そして、実施形態５の場合にも、実施形態１と同様に、他方の並列巻線４１Ｕ２が、一方の並列巻線４１Ｕ１と同様にして固定子コア３０の各相スロットＵ１，Ｕ２に巻装される。
【０１０６】
図３２は、固定子コア３０のＵ相スロットＵ１，Ｕ２内における第１〜第８部分巻線Ａ１，Ａ２〜Ｈ１，Ｈ２の配置位置の一例を示すものである。図３２に例示された２個のＵ相スロットＵ１，Ｕ２は、図３１において時計の１０時３０分の位置にあるものである。なお、図２６において、Ｕ相スロットＵ１の第１層には、他方の並列巻線４１Ｕ２の第６部分巻線Ｆ２が収容され、Ｕ相スロットＵ１の第３層には、他方の並列巻線４１Ｕ２の第５部分巻線Ｅ２が収容されている。また、Ｕ相スロットＵ２の第２層には、他方の並列巻線４１Ｕ２の第１部分巻線Ａ２が収容され、Ｕ相スロットＵ２の第４層には、他方の並列巻線４１Ｕ２の第２部分巻線Ｂ２が収容されている。
【０１０７】
上記のように巻装された並列巻線４１Ｕ１，４１Ｕ２は、各相スロットＵ１，Ｕ２内の第１層と第２層に交互に収容される第一の部分巻線群（Ａ１，Ａ２，Ｈ１，Ｈ２）と、各相スロットＵ１，Ｕ２内の第３層と第４層に交互に収容される第二の部分巻線群（Ｂ１，Ｂ２，Ｇ１，Ｇ２）と、各相スロットＵ１，Ｕ２内の第５層と第６層に交互に収容される第三の部分巻線群（Ｃ１，Ｃ２，Ｆ１，Ｆ２）と、各相スロットＵ１，Ｕ２内の第７層と第８層に交互に収容される第四の部分巻線群（Ｄ１，Ｄ２，Ｅ１，Ｅ２）と、の４種類の部分巻線群に分類される。即ち、スロット内での収容位置が異なるＮ種類の部分巻線群に分類されており、実施形態５の場合には、Ｎ＝４で４種類の部分巻線群に分類される。
【０１０８】
そして、Ｎ種類（Ｎ＝４で４種類）のうちの（Ｎ−１）種類（Ｎ＝４で３種類）である第一乃至第三の部分巻線群を構成する第１〜第３，第６〜第８部分巻線Ａ１，Ａ２〜Ｃ１，Ｃ２，Ｆ１，Ｆ２〜Ｈ１，Ｈ２は、直列接続のみで接続されている。これらの直列接続のみで接続される第１〜第３，第６〜第８部分巻線Ａ１，Ａ２〜Ｃ１，Ｃ２，Ｆ１，Ｆ２〜Ｈ１，Ｈ２は、固定子コア３０に順番に繰り返し２個ずつ配置されたＵ相スロットＵ１，Ｕ２の両方に均等に配置されている。
【０１０９】
また、残りの１種類の第四の部分巻線群を構成する第４及び第５部分巻線Ｄ１，Ｄ２，Ｅ１，Ｅ２は、直列接続と並列接続の両方で接続されている。これらの直列接続と並列接続の両方で接続される第５及び第６部分巻線Ｄ１，Ｄ２，Ｅ１，Ｅ２も、固定子コア３０に順番に繰り返し２個ずつ配置されたＵ相スロットＵ１，Ｕ２の両方に均等に配置されている。したがって、Ｕ相巻線の各並列巻線４１Ｕ１，４１Ｕ２は、固定子コア３０に順番に繰り返し２個ずつ配置されたＵ相スロットの両方に均等に配置されている。
【０１１０】
以上のように結線された実施形態５の固定子巻線４０は、８Ｔと６Ｔの中間の７Ｔの特性を有する。即ち、実施形態５の場合には、例えば図３０に示すＵ相巻線において、第１部分巻線Ａ１，Ａ２にはＡ／２の電流が流れ、第２部分巻線Ｂ１，Ｂ２にはＡ／２の電流が流れ、第３部分巻線Ｃ１，Ｃ２にはＡ／２の電流が流れ、第４及び第５部分巻線Ｄ１，Ｄ２，Ｅ１，Ｅ２にはＡ／４の電流が流れ、第６部分巻線Ｆ１，Ｆ２にはＡ／２の電流が流れ、第７部分巻線Ｇ１，Ｇ２にはＡ／２の電流が流れ、第８部分巻線Ｈ１，Ｈ２にはＡ／２の電流が流れる。したがって、一極当たりに入っている電流Ａ’＝１２×（Ａ／２）＋４×（Ａ／４）＝７Ａとなり、Ｔ＝７Ａ／Ａから、ターン数Ｔは７となる。
【０１１１】
以上のように構成された実施形態５の固定子によれば、スロット倍数が２とされ、各相スロットに各相巻線が径方向１列に８本ずつ収容され、各相巻線がそれぞれ並列接続された２本の並列巻線４１Ｕ，４１Ｖ，４１Ｗにより構成されている仕様の固定子において、循環電流が発生することのない７Ｔの特性を有する固定子巻線４０を実現することができる。
【０１１２】
なお、実施形態５の場合にも、変形例１のように、直列接続と並列接続の両方で接続される第４及び第５部分巻線Ｄ，Ｅの断面積を、直列接続のみで接続される第１〜第３、第６〜第８部分巻線Ａ〜Ｃ，Ｆ〜Ｈの断面積の概ね半分にすることができる。
【０１１３】
〔実施形態６〕
実施形態６に係る回転電機の固定子（図示せず）は、基本的構成が実施形態５のものと同じであり、固定子巻線４０を構成する各相巻線の巻線仕様が実施形態５のものと異なる。よって、実施形態５と共通する部材や構成については、同じ符号を付して詳しい説明は省略し、以下、異なる点及び重要な点について説明する。
【０１１４】
実施形態６の固定子巻線４０は、実施形態５と同様に、７Ｔの特性を有する固定子巻線を実現させたものであるが、実施形態５の固定子巻線４０が外−外渡りタイプであるのに対して、実施形態２，４と同様の外−内渡りタイプである点で実施形態５のものと異なる。この固定子巻線４０は、図３３に示すように、それぞれ２本の並列巻線４１Ｕ，４１Ｖ，４１Ｗが並列接続された各相巻線（Ｕ相，Ｖ相，Ｗ相）の巻線端が星型結線（Ｙ結線）で結線されている。以下、実施形態５の場合と同様に、それらの代表としてＵ相巻線の巻線仕様を説明する。
【０１１５】
実施形態６のＵ相巻線の各並列巻線４１Ｕ１，４１Ｕ２は、図３４に示すように、実施形態５と同様に、第１〜第８部分巻線Ａ１，Ａ２〜Ｈ１，Ｈ２により構成されている。但し、実施形態５において、並列接続された第４部分巻線Ｄ１，Ｄ２と第５部分巻線Ｅ１，Ｅ２が、実施形態６では長さ方向において２分割されている。そして、一方の分割第４部分巻線Ｄ１−１，Ｄ２−１と一方の分割第５部分巻線Ｅ１−１，Ｅ２−１同士が並列接続されて、第１分割部分並列巻線を構成し、他方の分割第４部分巻線Ｄ１−２，Ｄ２−２と他方の分割第５部分巻線Ｅ１−２，Ｅ２−２同士が並列接続されて、第２分割部分並列巻線を構成している。
【０１１６】
実施形態６の各並列巻線４１Ｕ１，４１Ｕ２は、第１部分巻線Ａ１，Ａ２の下流側に、第２部分巻線Ｂ１，Ｂ２、第３部分巻線Ｃ１，Ｃ２、第１分割部分並列巻線、第６部分巻線Ｆ１，Ｆ２、第７部分巻線Ｇ１，Ｇ２、第２分割部分並列巻線が順番に直列接続されている。
【０１１７】
実施形態６の並列巻線４１Ｕ１，４１Ｕ２の巻回方法は、実施形態２，４と同じ外−内渡りタイプであるため、以下、一方の並列巻線４１Ｕ１について実施形態４の巻回方法と比較しつつ説明する。実施形態６の並列巻線４１Ｕ１の第１部分巻線Ａ１は、実施形態４の並列巻線４１Ｕ１の第１部分巻線Ａ１と同様に、各Ｕ相スロットＵ１，Ｕ２内の第１層と第２層に交互に収容されて巻回される。実施形態６の第１部分巻線Ａ１と直列接続された第２部分巻線Ｂ１は、第１部分巻線Ａ１の巻回方法に準じて、各Ｕ相スロットＵ１，Ｕ２内の第３層と第４層に交互に収容されて巻回される。また、実施形態６の第２部分巻線Ｂ１と直列接続された第３部分巻線Ｃ１は、第２部分巻線Ｂ１の巻回方法に準じて、各Ｕ相スロットＵ１，Ｕ２内の第５層と第６層に交互に収容されて巻回される。
【０１１８】
実施形態６の第３部分巻線Ｃ１と直列接続された第４部分巻線Ｄ１−１は、実施形態４の第３部分巻線Ｃ１−１の巻回方法に準じて、各Ｕ相スロットＵ１，Ｕ２内の第７層と第８層に交互に収容されて巻回される。また、実施形態６の第３部分巻線Ｃ１と直列接続され第４部分巻線Ｄ１−１と並列接続された第５部分巻線Ｅ１−１は、実施形態４の第４部分巻線Ｄ１−１の巻回方法に準じて、各Ｕ相スロットＵ１，Ｕ２内の第７層と第８層に交互に収容されて巻回される。
【０１１９】
実施形態６の第４及び第５部分巻線Ｄ１−１，Ｅ１−１と直列接続された第６部分巻線Ｆ１は、実施形態４の第５部分巻線Ｅ１−１の巻回方法に準じて、各Ｕ相スロットＵ１，Ｕ２内の第１層と第２層に交互に収容されて巻回される。実施形態６の第６部分巻線Ｆ１と直列接続された第７部分巻線Ｇ１は、第６部分巻線Ｆ１の巻回方法に準じて、各Ｕ相スロットＵ１，Ｕ２内の第３層と第４層に交互に収容されて巻回される。また、実施形態６の第７部分巻線Ｇ１と直列接続された第８部分巻線Ｈ１は、第７部分巻線Ｇ１の巻回方法に準じて、各Ｕ相スロットＵ１，Ｕ２内の第５層と第６層に交互に収容されて巻回される。
【０１２０】
実施形態６の第８部分巻線Ｈ１と直列接続された第４部分巻線Ｄ１−２は、実施形態４の第３部分巻線Ｃ１−２の巻回方法に準じて、各Ｕ相スロットＵ１，Ｕ２内の第７層と第８層に交互に収容されて巻回される。また、実施形態６の第８部分巻線Ｈ１と直列接続され第４部分巻線Ｄ１−２と並列接続された第５部分巻線Ｅ１−２は、実施形態４の第４部分巻線Ｄ１−２の巻回方法に準じて、各Ｕ相スロットＵ１，Ｕ２内の第７層と第８層に交互に収容されて巻回される。
【０１２１】
なお、実施形態６の他方の並列巻線４１Ｕ２は、実施形態４の他方の並列巻線４１Ｕ２に準じて、各Ｕ相スロットＵ１，Ｕ２に収容されて巻回される。このようにして各Ｕ相スロットＵ１，Ｕ２には、Ｕ相巻線が径方向１列に２×Ｎ本（Ｎ＝４で８本）ずつ収容される。
【０１２２】
そして、実施形態６の各並列巻線４１Ｕ１，４１Ｕ２は、各Ｕ相スロットＵ１，Ｕ２内の第１層と第２層に交互に収容される第一の部分巻線群（Ａ１，Ａ２，Ｆ１，Ｆ２）と、各Ｕ相スロットＵ１，Ｕ２内の第３層と第４層に交互に収容される第二の部分巻線群（Ｂ１，Ｂ２，Ｇ１，Ｇ２）と、各Ｕ相スロットＵ１，Ｕ２内の第５層と第６層に交互に収容される第三の部分巻線群（Ｃ１，Ｃ２，Ｆ１，Ｆ２）と、各Ｕ相スロットＵ１，Ｕ２内の第７層と第８層に交互に収容される第四の部分巻線群（Ｄ１−１，Ｄ１−２，Ｄ２−１，Ｄ２−２，Ｅ１−１，Ｅ１−２，Ｅ２−１，Ｅ２−２）との４種類の部分巻線群に分類される。即ち、スロット内での収容位置が異なるＮ種類の部分巻線群に分類されており、実施形態６の場合には、Ｎ＝４で４種類の部分巻線群に分類される。
【０１２３】
以上のように結線された実施形態６の固定子巻線４０は、８Ｔと６Ｔの中間の７Ｔの特性を有する。即ち、実施形態６の場合には、例えば図３４に示すＵ相巻線において、第１部分巻線Ａ１，Ａ２にはＡ／２の電流が流れ、第２部分巻線Ｂ１，Ｂ２にはＡ／２の電流が流れ、第３部分巻線Ｃ１，Ｃ２にはＡ／２の電流が流れ、第１分割部分並列巻線Ｄ１−１，Ｄ２−１，Ｅ１−１，Ｅ２−１にはＡ／４の電流が流れ、第６部分巻線Ｆ１，Ｆ２にはＡ／２の電流が流れ、第７部分巻線Ｇ１，Ｇ２にはＡ／２の電流が流れ、第８部分巻線Ｈ１，Ｈ２にはＡ／２の電流が流れ、第２分割部分並列巻線Ｄ１−２，Ｄ２−２，Ｅ１−２，Ｅ２−２にはＡ／４の電流が流れる。したがって、一極当たりに入っている電流Ａ’＝１２×（Ａ／２）＋４×（Ａ／４）＝７Ａとなり、Ｔ＝７Ａ／Ａから、ターン数Ｔは７となる。
【０１２４】
以上のように構成された実施形態６の固定子によれば、スロット倍数が２とされ、各相スロットに各相巻線が径方向１列に８本ずつ収容され、各相巻線がそれぞれ並列接続された２本の並列巻線４１Ｕ，４１Ｖ，４１Ｗにより構成されている仕様の固定子において、循環電流が発生することのない７Ｔの特性を有する固定子巻線４０を実現することができるなど、実施形態５と同様の効果を奏する。
【０１２５】
なお、実施形態６の場合にも、変形例１のように、直列接続と並列接続の両方で接続される第４及び第５部分巻線Ｄ，Ｅの断面積を、直列接続のみで接続される第１〜第３、第６〜第８部分巻線Ａ〜Ｃ，Ｆ〜Ｈの断面積の概ね半分にすることができる。
【０１２６】
〔他の実施形態〕
本発明は、上記の実施形態に限定されるものではなく、本発明の趣旨を逸脱しない範囲で種々変更することが可能である。例えば、上記の実施形態では、本発明に係る回転電機の固定子を車両用電動機に適用した例を説明したが、本発明は、車両に搭載される回転電機としての発電機あるいは電動機、さらには両者を選択的に使用し得る回転電機にも適用することができる。
【符号の説明】
【０１２７】
１…車両用電動機（回転電機）、  ２０…固定子、  ３０…固定子コア、  ３１…スロット、  Ｕ１，Ｕ２…Ｕ相スロット、  Ｖ１，Ｖ２…Ｖ相スロット、  Ｗ１，Ｗ２…Ｗ相スロット、  ４０…固定子巻線、  ４１Ｕ，４１Ｖ，４１Ｗ…並列巻線、  Ａ１，Ａ２…第１部分巻線、  Ｂ１，Ｂ１−１，Ｂ１−２，Ｂ２，Ｂ２−１，Ｂ２−２…第２部分巻線、  Ｃ１，Ｃ１−１，Ｃ１−２，Ｃ２，Ｃ２−１，Ｃ２−２…第３部分巻線、  Ｄ１，Ｄ１−１，Ｄ１−２，Ｄ２，Ｄ２−１，Ｄ２−２…第４部分巻線、  Ｅ１，Ｅ１−１，Ｅ１−２，Ｅ２，Ｅ２−１，Ｅ２−２…第５部分巻線、  Ｆ１，Ｆ２…第６部分巻線、  Ｇ１，Ｇ２…第７部分巻線、  Ｈ１，Ｈ２…第８部分巻線。
【図２】
2016012981.tif 000003
【図３】
2016012981.tif 000004
【図４】
2016012981.tif 000005
【図５】
2016012981.tif 000006
【図６】
2016012981.tif 000007
【図７】
2016012981.tif 000008
【図８】
2016012981.tif 000009
【図９】
2016012981.tif 000010
【図１０】
2016012981.tif 000011
【図１１】
2016012981.tif 000012
【図１２】
2016012981.tif 000013
【図１３】
2016012981.tif 000014
【図１４】
2016012981.tif 000015
【図１６】
2016012981.tif 000016
【図１７】
2016012981.tif 000017
【図１８】
2016012981.tif 000018
【図１９】
2016012981.tif 000019
【図２０】
2016012981.tif 000020
【図２１】
2016012981.tif 000021
【図２２】
2016012981.tif 000022
【図２４】
2016012981.tif 000023
【図２６】
2016012981.tif 000024
【図２７】
2016012981.tif 000025
【図２８】
2016012981.tif 000026
【図２９】
2016012981.tif 000027
【図３０】
2016012981.tif 000028
【図３１】
2016012981.tif 000029
【図３２】
2016012981.tif 000030
【図３３】
2016012981.tif 000031
【図３４】
2016012981.tif 000032
【図１】
2016012981.tif 000033
【図１５】
2016012981.tif 000034
【図２３】
2016012981.tif 000035
【図２５】
2016012981.tif 000036